(57)【要約】【課題】運送会社が他の運送会社へ運送を依頼した貨物の管理を容易にする。【解決手段】本発明の一実施形態に係る運送計画支援装置は、自社が管理する自社車両の運送計画及び他社が管理する他社車両の運送計画を記憶する記憶部と、自社が運送を引き受けた運送対象貨物に関する貨物情報を取得する情報取得部と、自社車両の一覧Ａ１１とともに、他社車両の運送計画に基づいて選択された、運送対象貨物を運送可能な他社車両又は運送対象貨物の運送を引き受けた他社車両に関する情報Ａ１２を、情報端末に表示させる表示制御部と、を有する。【選択図】図３
2020173532.tif 000002
【特許請求の範囲】
【請求項１】
貨物の運送計画を支援する運送計画支援装置であって、
自社が管理する自社車両の運送計画及び他社が管理する他社車両の運送計画を記憶する記憶部と、
前記自社が運送を引き受けた運送対象貨物に関する貨物情報を取得する情報取得部と、
前記自社車両の一覧とともに、前記他社車両の運送計画に基づいて選択された、前記運送対象貨物を運送可能な前記他社車両又は前記運送対象貨物の運送を引き受けた前記他社車両に関する情報を、情報端末に表示させる表示制御部と、
を有する、運送計画支援装置。
【請求項２】
前記情報取得部は、前記運送計画支援装置が提供する求貨求車機能を用いて前記他社から引き受けた他社貨物と、前記求貨求車機能を用いることなく引き受けた自社貨物とを含む前記運送対象貨物に関する前記貨物情報を取得する、請求項１に記載の運送計画支援装置。
【請求項３】
前記他社車両の中から、前記他社車両の運送計画に基づいて、前記運送対象貨物を運送可能な前記他社車両を選択する選択部をさらに有する、請求項１又は２に記載の運送計画支援装置。
【請求項４】
前記選択部は、前記記憶部に記憶された前記他社車両の前記運送計画において前記他社が指定した時間範囲と前記運送対象貨物の運送期限との関係に基づいて、前記他社車両を選択する、請求項３に記載の運送計画支援装置。
【請求項５】
前記選択部は、前記記憶部に記憶された前記他社車両の前記運送計画において運送予定がない時間範囲と前記運送対象貨物の運送期限との関係に基づいて、前記他社車両を選択する、請求項３又は４に記載の運送計画支援装置。
【請求項６】
前記選択部は、前記記憶部に記憶された前記他社車両の前記運送計画が示す前記他社車両の空き重量と、前記運送対象貨物の重量との関係に基づいて、前記他社車両を選択する、請求項３から５のいずれか一項に記載の運送計画支援装置。
【請求項７】
前記選択部は、前記記憶部に記憶された前記他社車両の前記運送計画において前記他社が指定した時間範囲又は運送予定がない時間範囲の直前の前記他社車両の予定位置と、前記運送対象貨物の運送元の位置との関係に基づいて、前記他社車両を選択する、請求項３から６のいずれか一項に記載の運送計画支援装置。
【請求項８】
貨物の運送計画を支援する運送計画支援装置と、情報端末とを含む運送計画支援システムであって、
前記運送計画支援装置は、
自社が管理する自社車両の運送計画及び他社が管理する他社車両の運送計画を記憶する記憶部と、
前記自社が引き受けた運送対象貨物に関する貨物情報を取得する情報取得部と、
前記自社車両の一覧とともに、前記他社車両の運送計画に基づいて選択された、前記運送対象貨物を運送可能な前記他社車両又は前記運送対象貨物の運送を引き受けた前記他社車両に関する情報を表示するための表示情報を前記情報端末へ送信する表示制御部と、
を有し、
前記情報端末は、
前記運送計画支援装置が送信した前記表示情報を受信する受信部と、
前記表示情報に基づいて、前記自社車両の一覧とともに、前記運送対象貨物を運送可能な前記他社車両又は前記運送対象貨物の運送を引き受けた前記他社車両に関する情報を表示する表示部と、
を有する、運送計画支援システム。
【請求項９】
貨物の運送計画を支援する運送計画支援装置が実行する、
自社が管理する自社車両の運送計画及び他社車両の運送計画を記憶部に記憶させるステップと、
自社が引き受けた運送対象貨物に関する貨物情報を取得するステップと、
前記自社車両の一覧とともに、前記他社車両の運送計画に基づいて選択された、前記運送対象貨物を運送可能な前記他社車両又は前記運送対象貨物の運送を引き受けた前記他社車両に関する情報を、情報端末に表示させるステップと、
を有する、運送計画支援方法。
【発明の詳細な説明】
【技術分野】
【０００１】
本発明は、運送会社における貨物の運送計画の策定を支援する運送計画支援装置、運送計画支援システム及び運送計画支援方法に関する。
【背景技術】
【０００２】
物流業務において、荷主は、貨物の運送を運送会社に依頼する。運送会社は、運送期限、運送元及び運送先の位置等の貨物情報に基づいて、自社が管理する車両に貨物の運送を割り当てることによって、運送計画を策定する。特許文献１には、コンピュータの表示部に表示された画面上で貨物情報を入力することによって、貨物の運送を自動的に又は手動で車両に割り当てるシステムが記載されている。
【先行技術文献】
【特許文献】
【０００３】
【特許文献１】特開２００３−１４１６７５号公報
【発明の概要】
【発明が解決しようとする課題】
【０００４】
ところで、運送会社は、荷主から依頼された貨物を自社が管理する車両だけでは運送しきれない場合等に、他の運送会社に貨物の運送を依頼する（すなわち求車をする）場合がある。また、運送会社は、自社が管理する車両に空き時間がある場合に、他社から貨物の運送を引き受ける（すなわち求貨をする）場合がある。このように異なる運送会社間で貨物の運送を依頼し合うことを、求貨求車という。
【０００５】
従来、運送会社は、他社へ貨物の運送を依頼する場合に、電話やファクシミリで他社とやり取りをして成約する。特許文献１に記載のシステムでは、自社が管理する車両が運送する貨物を管理することはできるが、他社へ運送を依頼する貨物を管理することはできない。そのため運送会社は、自社の車両が運送する貨物とは別に、他社へ運送を依頼する貨物を管理する必要があるため、貨物の管理が複雑であった。
【０００６】
本発明はこれらの点に鑑みてなされたものであり、運送会社が他の運送会社へ運送を依頼する貨物の管理を容易にする運送計画支援装置、運送計画支援システム及び運送計画支援方法を提供することを目的とする。
【課題を解決するための手段】
【０００７】
本発明の第１の態様の運送計画支援装置は、貨物の運送計画を支援する運送計画支援装置であって、自社が管理する自社車両の運送計画及び他社が管理する他社車両の運送計画を記憶する記憶部と、前記自社が運送を引き受けた運送対象貨物に関する貨物情報を取得する情報取得部と、前記自社車両の一覧とともに、前記他社車両の運送計画に基づいて選択された、前記運送対象貨物を運送可能な前記他社車両又は前記運送対象貨物の運送を引き受けた前記他社車両に関する情報を、情報端末に表示させる表示制御部と、を有する。
【０００８】
前記情報取得部は、前記運送計画支援装置が提供する求貨求車機能を用いて前記他社から引き受けた他社貨物と、前記求貨求車機能を用いることなく引き受けた自社貨物とを含む前記運送対象貨物に関する前記貨物情報を取得してもよい。
【０００９】
前記運送計画支援装置は、前記他社車両の中から、前記他社車両の運送計画に基づいて、前記運送対象貨物を運送可能な前記他社車両を選択する選択部をさらに有してもよい。
【００１０】
前記選択部は、前記記憶部に記憶された前記他社車両の前記運送計画において前記他社が指定した時間範囲と前記運送対象貨物の運送期限との関係に基づいて、前記他社車両を選択してもよい。
【００１１】
前記選択部は、前記記憶部に記憶された前記他社車両の前記運送計画において運送予定がない時間範囲と前記運送対象貨物の運送期限との関係に基づいて、前記他社車両を選択してもよい。
【００１２】
前記選択部は、前記記憶部に記憶された前記他社車両の前記運送計画が示す前記他社車両の空き重量と、前記運送対象貨物の重量との関係に基づいて、前記他社車両を選択してもよい。
【００１３】
前記選択部は、前記記憶部に記憶された前記他社車両の前記運送計画において前記他社が指定した時間範囲又は運送予定がない時間範囲の直前の前記他社車両の予定位置と、前記運送対象貨物の運送元の位置との関係に基づいて、前記他社車両を選択してもよい。
【００１４】
本発明の第２の態様の運送計画支援システムは、貨物の運送計画を支援する運送計画支援装置と、情報端末とを含む運送計画支援システムであって、前記運送計画支援装置は、自社が管理する自社車両の運送計画及び他社が管理する他社車両の運送計画を記憶する記憶部と、前記自社が引き受けた運送対象貨物に関する貨物情報を取得する情報取得部と、前記自社車両の一覧とともに、前記他社車両の運送計画に基づいて選択された、前記運送対象貨物を運送可能な前記他社車両又は前記運送対象貨物の運送を引き受けた前記他社車両に関する情報を表示するための表示情報を前記情報端末へ送信する表示制御部と、を有し、前記情報端末は、前記運送計画支援装置が送信した前記表示情報を受信する受信部と、前記表示情報に基づいて、前記自社車両の一覧とともに、前記運送対象貨物を運送可能な前記他社車両又は前記運送対象貨物の運送を引き受けた前記他社車両に関する情報を表示する表示部と、を有する。
【００１５】
本発明の第３の態様の運送計画支援方法は、貨物の運送計画を支援する運送計画支援装置が実行する、自社が管理する自社車両の運送計画及び他社車両の運送計画を記憶部に記憶させるステップと、自社が引き受けた運送対象貨物に関する貨物情報を取得するステップと、前記自社車両の一覧とともに、前記他社車両の運送計画に基づいて選択された、前記運送対象貨物を運送可能な前記他社車両又は前記運送対象貨物の運送を引き受けた前記他社車両に関する情報を、情報端末に表示させるステップと、を有する。
【発明の効果】
【００１６】
本発明によれば、運送会社が他の運送会社へ運送を依頼する貨物の管理を容易にするという効果を奏する。
【図面の簡単な説明】
【００１７】
【図１】実施形態に係る運送計画支援システムの模式図である。
【図２】実施形態に係る運送計画支援システムのブロック図である。
【図３】貨物一覧画面及び配車板画面を表示している情報端末の表示部の正面図である。
【図４】運送計画支援システムが貨物一覧画面及び配車板画面においてユーザによる運送計画の設定を受け付ける方法を説明するための模式図である。
【図５】貨物一覧画面において他社に貨物の運送を依頼する方法を説明するための模式図である。
【図６】他社によって指定された時間範囲に基づいて選択部が他社車両の候補を選択する方法を説明するための模式図である。
【図７】他社車両の空き重量に基づいて選択部が他社車両の候補を選択する方法を説明するための模式図である。
【図８】他社車両の予定位置に基づいて選択部が他社車両の候補を選択する方法を説明するための模式図である。
【図９】運送計画支援システムが行う運送計画支援方法のフローチャートを示す図である。
【発明を実施するための形態】
【００１８】
［運送計画支援システムＳの概要］
図１は、本実施形態に係る運送計画支援システムＳの模式図である。運送計画支援システムＳは、運送計画支援装置１と、複数の情報端末２とを含む。運送計画支援システムＳが含む情報端末２の数は限定されない。運送計画支援システムＳは、その他のサーバ、端末等の機器を含んでもよい。
【００１９】
情報端末２は、運送会社が管理するコンピュータである。運送会社は、貨物の運送業務を行う組織である。運送会社は、１人又は複数人の構成員からなり、貨物を運送するための１つ又は複数の車両を管理する。１つの運送会社に着目したとき、該運送会社を自社といい、それ以外の運送会社を他社という。情報端末２は、例えばパーソナルコンピュータや、スマートフォン、タブレット端末等の携帯端末である。情報端末２は、インターネット、ローカルエリアネットワーク等のネットワークＮを介して、運送計画支援装置１との間で通信を行う。
【００２０】
運送計画支援装置１は、運送会社における貨物の運送計画の策定を支援するコンピュータである。運送計画支援装置１は、例えばネットワークＮに接続されたサーバである。運送計画支援装置１は、貨物及び車両に関する情報を表示するための情報を複数の情報端末２へ送信し、また複数の情報端末２から運送計画を設定するための情報を受信して記憶する。
【００２１】
運送計画支援装置１は、運送計画を設定する機能と、求貨求車を行う機能とを、各運送会社へ提供する。求貨求車とは、異なる運送会社間で貨物の運送を依頼し合うことをいう。運送計画支援装置１は、１つの運送会社が管理する自社車両の運送計画と、他の運送会社が管理する他社車両の運送計画とを記憶する。
【００２２】
運送計画支援装置１は、自社車両の一覧とともに、他社車両の運送計画に基づいて選択された、運送対象貨物を運送可能な他社車両又は運送対象貨物の運送を引き受けた他社車両に関する情報を、情報端末２に表示させる。
【００２３】
このような構成により、運送計画支援装置１は、運送会社が管理する自社車両の情報と、運送対象貨物を運送可能な他社車両又は運送対象貨物の運送を引き受けた他社車両とを一緒に表示して管理可能にする。そのため、運送会社のユーザは、自社車両が運送する運送対象貨物に加えて、他の運送会社へ運送を依頼する運送対象貨物を容易に管理することができる。
【００２４】
［運送計画支援システムＳの構成］
図２は、本実施形態に係る運送計画支援システムＳのブロック図である。図２において、矢印は主なデータの流れを示しており、図２に示していないデータの流れがあってよい。図２において、各ブロックはハードウェア（装置）単位の構成ではなく、機能単位の構成を示している。そのため、図２に示すブロックは単一の装置内に実装されてよく、あるいは複数の装置内に分かれて実装されてよい。ブロック間のデータの授受は、データバス、ネットワーク、可搬記憶媒体等、任意の手段を介して行われてよい。
【００２５】
運送計画支援装置１は、制御部１１と、記憶部１２とを有する。制御部１１は、情報取得部１１１と、表示制御部１１２と、運送計画設定部１１３と、求貨求車部１１４と、選択部１１５とを有する。記憶部１２は、運送計画記憶部１２１と、運送会社情報記憶部１２２と、求貨求車情報記憶部１２３とを有する。
【００２６】
記憶部１２は、ＲＯＭ（Read Only Memory）、ＲＡＭ（Random Access Memory）、ハードディスクドライブ等を含む記憶媒体である。記憶部１２は、制御部１１が実行するプログラムを予め記憶している。記憶部１２は、運送計画支援装置１の外部に設けられてもよく、その場合にネットワークを介して制御部１１との間でデータの授受を行ってもよい。
【００２７】
運送計画記憶部１２１は、運送会社ごとに運送計画を記憶する。運送会社情報記憶部１２２は、運送会社ごとに車両及び貨物に関する情報を記憶する。求貨求車情報記憶部１２３は、異なる運送会社間で貨物の運送を依頼するための情報を記憶する。運送計画記憶部１２１、運送会社情報記憶部１２２及び求貨求車情報記憶部１２３は、それぞれ記憶部１２上の記憶領域であってもよく、あるいは記憶部１２上で構成されたデータベースであってもよい。
【００２８】
制御部１１は、例えばＣＰＵ（Central Processing Unit）等のプロセッサであり、記憶部１２に記憶されたプログラムを実行することにより、情報取得部１１１、表示制御部１１２、運送計画設定部１１３、求貨求車部１１４及び選択部１１５として機能する。制御部１１の機能の少なくとも一部は、電気回路によって実行されてもよい。また、制御部１１の機能の少なくとも一部は、ネットワーク経由で実行されるプログラムによって実行されてもよい。
【００２９】
情報端末２は、制御部２１と、記憶部２２と、操作部２３と、表示部２４とを有する。制御部２１は、送信部２１１と、受信部２１２とを有する。
【００３０】
表示部２４は、液晶ディスプレイ等、情報を表示可能な表示装置を含む。操作部２３は、キーボード、マウス等、ユーザの操作によって情報を入力可能な操作装置を含む。表示部２４としてユーザによる接触の位置を検出可能なタッチスクリーンを用いることによって、表示部２４と操作部２３とを一体に構成してもよい。
【００３１】
記憶部２２は、ＲＯＭ、ＲＡＭ、ハードディスクドライブ等を含む記憶媒体である。記憶部２２は、制御部２１が実行するプログラムを予め記憶している。記憶部２２は、情報端末２の外部に設けられてもよく、その場合にネットワークを介して制御部２１との間でデータの授受を行ってもよい。
【００３２】
制御部２１は、例えばＣＰＵ等のプロセッサであり、記憶部２２に記憶されたプログラムを実行することにより、送信部２１１及び受信部２１２として機能する。制御部２１の機能の少なくとも一部は、電気回路によって実行されてもよい。また、制御部２１の機能の少なくとも一部は、ネットワーク経由で実行されるプログラムによって実行されてもよい。
【００３３】
本実施形態に係る運送計画支援装置１及び情報端末２は、図２に示す具体的な構成に限定されない。運送計画支援装置１及び情報端末２は、それぞれ１つの装置に限られず、２つ以上の物理的に分離した装置が有線又は無線で接続されることにより構成されてもよい。
【００３４】
［運送計画支援方法の説明］
いずれかの運送会社のユーザ（オペレータ）は、情報端末２を用いて画面を表示するための操作を行う。画面を表示するための操作が行われると、情報端末２の送信部２１１は、情報端末２を管理する運送会社を識別可能な識別情報（例えば運送会社ＩＤ）を、運送計画支援装置１へ送信する。運送計画支援装置１において、情報取得部１１１は、情報端末２が送信した運送会社ＩＤに基づいて、画面を表示するための情報を取得する。
【００３５】
具体的には、情報取得部１１１は、情報端末２が送信した運送会社ＩＤを受信して取得する。以下では、情報取得部１１１が取得した運送会社ＩＤに対応する運送会社を自社といい、それ以外の運送会社を他社という。
【００３６】
情報取得部１１１は、運送計画記憶部１２１において自社の運送会社ＩＤに関連付けられた運送計画（すなわち、自社が管理する自社車両の運送計画）を取得する。また、情報取得部１１１は、運送計画記憶部１２１において自社以外の運送会社ＩＤに関連付けられた運送計画（すなわち、他社が管理する他社車両の運送計画）を取得する。運送計画は、例えば車両を識別可能な識別情報（例えば車両ＩＤ）と、車両が運送する予定の貨物を識別可能な識別情報（例えば貨物ＩＤ）とを関連付けて示す。
【００３７】
また、情報取得部１１１は、運送会社情報記憶部１２２において自社の運送会社ＩＤに関連付けられた、自社が管理する自社車両に関する車両情報と、自社が運送計画支援システムＳの求貨求車機能を用いることなく引き受けた自社貨物（第１の貨物）に関する貨物情報とを取得する。自社車両は、自社が保有する車両であってもよく、あるいは自社が管理を行う他社の車両であってもよい。
【００３８】
車両情報は、例えば車両の車両登録番号、車種（最大積載量、寸法、荷台形状等）、運送可能な貨物の種類、混載可否及び運賃、並びに車両の運転手の氏名、勤務予定時間、残業時間及び連続運転時間を、車両ＩＤに関連付けて示す。貨物情報は、例えば貨物の種類、運賃、運送期限（荷積み時刻及び荷卸し時刻）、運送元（積地）の位置、運送先（卸地）の位置、荷主の名称、混載可否及び貨物を運送可能な車種を、貨物ＩＤに関連付けて示す。
【００３９】
また、情報取得部１１１は、求貨求車情報記憶部１２３において自社の運送会社ＩＤに関連付けられた求貨求車情報を取得する。求貨求車情報は、他社が運送を依頼した他社貨物に関する貨物情報（すなわち、求車情報）と、他社が貨物の運送を引き受ける依頼をした他社車両の車両情報（すなわち、求貨情報）と、運送会社が運送を依頼した貨物の運送を他の運送会社が引き受けたことを示す情報（すなわち、引き受け情報）を含む。
【００４０】
求車情報は、自社が運送計画支援システムＳの求貨求車機能を用いて他社から引き受けた引受済他社貨物（第２の貨物）の貨物情報と、自社が運送計画支援システムＳの求貨求車機能を用いて他社から引き受けることが可能な未引受他社貨物（第３の貨物）の貨物情報とを含む。引受済他社貨物及び未引受他社貨物の貨物情報の内容は、自社貨物の貨物情報と同様である。
【００４１】
求貨情報は、運送対象貨物を運送可能な他社車両の車両情報を含む。求貨情報は、自社車両の車両情報と同様の内容に加えて、他社車両が貨物を運送可能な時間を、車両ＩＤに関連付けて示す。
【００４２】
表示制御部１１２は、情報取得部１１１が取得した車両情報、貨物情報及び求貨求車情報に基づいて、貨物一覧画面及び配車板画面を同時に情報端末２に表示させるための表示情報を生成し、情報端末２へ送信する。
【００４３】
情報端末２において、受信部２１２は、運送計画支援装置１が送信した表示情報を受信し、受信した表示情報に基づいて貨物一覧画面及び配車板画面を同時に表示部２４に表示させる。
【００４４】
図３は、貨物一覧画面Ｂ及び配車板画面Ａを表示している情報端末２の表示部２４の正面図である。表示部２４は、自社貨物と引受済他社貨物とを一覧可能にする貨物一覧画面Ｂと、複数の車両それぞれが自社貨物及び引受済他社貨物から選択された選択貨物を運送する運送計画を示す配車板画面Ａとを同時に表示している。
【００４５】
配車板画面Ａは、車両情報Ａ１と、運送計画Ａ２とを含む。車両情報Ａ１は、自社車両の車両情報Ａ１１と、自社が運送を依頼している運送対象貨物の運送を引き受けた他社車両の車両情報Ａ１２とを含む。図３の例では、自社車両の車両情報Ａ１１は、車両の車種、運転手の氏名及び運転手の労務情報（残業時間、連続運転時間等）を表している。他社車両の車両情報Ａ１２は、自社車両の車両情報Ａ１１とは異なる情報を表し、例えば車両の車種及び運送会社の名称を表している。車両情報Ａ１１、Ａ１２は、車両の車両登録番号等、その他の情報を表してもよい。
【００４６】
自社車両の車両情報Ａ１１と他社車両の車両情報Ａ１２とは、互いに異なる表示態様で表されている。図３の例では、他社車両の車両情報Ａ１２の左端に矩形の記号が表されている。これに限られず、自社車両の車両情報Ａ１１と他社車両の車両情報Ａ１２とには、互いに異なる背景（色や模様）が設定されてもよく、互いに異なる記号や文字が表されてもよい。これにより、運送計画支援システムＳは、配車板画面Ａにおいて自社車両と他社車両とを自社のユーザにとって区別可能に表示できる。
【００４７】
運送計画Ａ２は、自社貨物及び引受済他社貨物から選択された、車両が運送する予定の選択貨物に関する貨物情報を、時刻に関連付けて表す。図３の例では、運送計画Ａ２は、時刻を表す横軸に沿って、貨物ごとに荷積み時刻から荷卸し時刻まで延在する帯によって、貨物情報を表している。運送計画Ａ２は、貨物の運送期限、運送元の位置、運送先の位置、及び貨物を運送可能な車種を表している。運送計画Ａ２は、貨物の種類、混載可否、荷主の名称等、その他の情報を表してもよい。
【００４８】
このとき、他社車両の運送計画Ａ２は、自社車両の運送計画Ａ２よりも少ない情報を含む。例えば自社車両の運送計画Ａ２は自社車両が運送する予定の全ての貨物を表すのに対して、他社車両の運送計画Ａ２は他社車両が運送する予定の貨物のうち自社が運送を依頼した貨物のみを表す。これにより、運送計画支援システムＳは、自社と関係の無い他社の運送計画に係る情報を、自社に開示することを防ぐことができる。
【００４９】
貨物一覧画面Ｂは、貨物情報Ｂ１を含む。図３の例では、貨物一覧画面Ｂは、車両に割り当てられていない自社貨物及び引受済他社貨物の貨物情報Ｂ１のみを含んでいるが、それに加えて車両に割り当てられた自社貨物及び引受済他社貨物の貨物情報Ｂ１を含んでもよい。また、貨物一覧画面Ｂは、自社貨物及び引受済他社貨物に加えて、未引受他社貨物の貨物情報Ｂ１を含んでもよい。
【００５０】
図３に例示した貨物情報Ｂ１は、自社貨物及び引受済他社貨物それぞれについて、貨物の種類、運賃、運送期限、運送元の位置、運送先の位置、荷主の名称、混載可否及び貨物を運送可能な車種を表している。貨物情報Ｂ１は、その他の情報を表してもよい。
【００５１】
図３に示した貨物一覧画面Ｂ及び配車板画面Ａは一例であり、情報の内容、外観及び配置は変更されてもよい。
【００５２】
このように運送計画支援システムＳは、自社貨物及び引受済他社貨物を一覧可能にする貨物一覧画面Ｂを、運送計画を設定するための配車板画面Ａと同時に表示する。これにより、自社のユーザは、自社貨物及び引受済他社貨物を包括的に把握し、それらに基づいて運送計画を策定することができる。また、運送計画支援システムＳは、配車板画面Ａにおいて、自社車両に係る運送計画と、運送対象貨物の運送を引き受けた他社車両に係る運送計画との両方を表示する。これにより、自社のユーザは、自社車両が運送する運送対象貨物に加えて、他の運送会社へ運送を依頼する運送対象貨物を容易に管理できる。
【００５３】
次に、運送計画支援システムＳが提供する運送計画設定機能を説明する。運送計画支援システムＳは、情報端末２に表示されている貨物一覧画面Ｂ及び配車板画面Ａにおける操作に基づいて、自社のユーザによる運送計画の設定を受け付ける。図４は、運送計画支援システムＳが貨物一覧画面Ｂ及び配車板画面Ａにおいてユーザによる運送計画の設定を受け付ける方法を説明するための模式図である。
【００５４】
ユーザは、情報端末２の操作部２３を用いて、車両に割り当てたい自社貨物又は引受済他社貨物に対応する貨物情報Ｂ１の領域を、該車両に対応する運送計画Ａ２に移動させる操作を行う。このとき、ユーザは、自社貨物又は引受済他社貨物を自社車両及び他社車両のどちらに割り当ててもよい。情報端末２の送信部２１１は、操作部２３の操作に応じて、車両に割り当てたい自社貨物又は引受済他社貨物の貨物ＩＤと、該車両の車両ＩＤとを、運送計画支援装置１へ送信する。
【００５５】
運送計画支援装置１において、運送計画設定部１１３は、情報端末２が送信した貨物ＩＤ及び車両ＩＤを受信する。そして運送計画設定部１１３は、受信した貨物ＩＤ及び車両ＩＤを関連付けた運送計画を、運送会社ＩＤに関連付けて運送計画記憶部１２１に記憶させることによって設定する。
【００５６】
さらに表示制御部１１２は、変更された運送計画を、配車板画面Ａの運送計画Ａ２として、情報端末２の表示部２４に表示させる。このとき、表示制御部１１２は、配車板画面Ａにおいて運送計画が変更されたことに応じて、変更された運送計画に対応する自社貨物又は引受済他社貨物の貨物情報Ｂ１の表示態様を貨物一覧画面Ｂにおいて変化させる。図６の例では、変更された運送計画に対応する自社貨物又は引受済他社貨物の貨物情報Ｂ１を貨物一覧画面Ｂから削除しているが、変更された運送計画に対応する自社貨物又は引受済他社貨物の貨物情報Ｂ１の領域中に所定のラベル又は所定の背景を表示してもよい。
【００５７】
さらに表示制御部１１２は、変更された運送計画に基づいて車両の運転手の労務情報（残業時間、連続運転時間等）を更新し、更新された労務情報を、情報端末２の表示部２４に表示させてもよい。
【００５８】
このように運送計画支援システムＳは、貨物一覧画面Ｂから配車板画面Ａへ自社貨物又は引受済他社貨物を移動させる操作を行うことによって、運送計画を設定する。これにより、自社のユーザは、自社貨物及び引受済他社貨物を、同じ操作で容易に車両に割り当てることができる。また、自社のユーザは、自社貨物及び引受済他社貨物を、同じ操作で自社車両及び他社車両のどちらにも割り当てることができる。
【００５９】
次に、運送計画支援システムＳが提供する求貨求車機能について説明する。自社貨物又は引受済他社貨物の運送を他社に依頼する求車情報を登録したい場合に、自社のユーザは、情報端末２の操作部２３を用いて、他社に運送を依頼する自社貨物又は引受済他社貨物を指定する操作を行う。他社に運送を依頼する自社貨物又は引受済他社貨物は、貨物一覧画面Ｂ又は配車板画面Ａ上で指定されてもよく、情報端末２が表示するその他の画面上で指定されてもよい。情報端末２の送信部２１１は、他社に運送を依頼する自社貨物又は引受済他社貨物の貨物ＩＤを、運送計画支援装置１へ送信する。運送計画支援装置１において、求貨求車部１１４は、情報端末２が送信した貨物ＩＤに対応する自社貨物又は引受済他社貨物に関する貨物情報を、求車情報として求貨求車情報記憶部１２３に記憶させる。
【００６０】
自社が管理する車両が他社の貨物を運送可能なことを示す求貨情報を登録したい場合に、自社のユーザは、情報端末２の操作部２３を用いて、自社が管理する車両が貨物を運送可能な時間を指定する操作を行う。貨物を運送可能な空き時間は、貨物一覧画面Ｂ又は配車板画面Ａ上で指定されてもよく、情報端末２が表示するその他の画面上で指定されてもよい。情報端末２の送信部２１１は、自社が管理する車両の車両ＩＤと、該車両が貨物を運送可能な空き時間とを、運送計画支援装置１へ送信する。運送計画支援装置１において、求貨求車部１１４は、情報端末２が送信した車両ＩＤに対応する車両に関する車両情報と、情報端末２が送信した空き時間とを、求貨情報として求貨求車情報記憶部１２３に記憶させる。
【００６１】
未引受他社貨物の運送を引き受ける場合に、自社のユーザは、情報端末２の操作部２３を用いて、運送を引き受ける未引受他社貨物を指定する操作を行う。運送を引き受ける未引受他社貨物は、貨物一覧画面Ｂ又は配車板画面Ａ上で指定されてもよく、情報端末２が表示するその他の画面上で指定されてもよい。情報端末２の送信部２１１は、運送を引き受ける未引受他社貨物の貨物ＩＤを、運送計画支援装置１へ送信する。運送計画支援装置１において、求貨求車部１１４は、情報端末２が送信した貨物ＩＤに対応する未引受他社貨物に関する貨物情報を自社の運送会社ＩＤに関連付けることによって生成した引き受け情報を、求貨求車情報記憶部１２３に記憶させる。
【００６２】
図５は、貨物一覧画面Ｂにおいて他社に貨物の運送を依頼する方法を説明するための模式図である。運送計画支援装置１の選択部１１５は、運送計画記憶部１２１に記憶されている他社車両の運送計画に基づいて、貨物一覧画面Ｂに表示されている自社貨物及び引受済他社貨物それぞれ（すなわち、運送対象貨物）を運送可能な他社車両の候補を選択する。
【００６３】
選択部１１５は、貨物一覧画面Ｂに表示されている運送対象貨物の全てについて他社車両の候補を選択してもよく、あるいは貨物一覧画面Ｂに表示されている運送対象貨物の一部（例えば自社のユーザが求車情報を登録した運送対象貨物のみ）について他社車両の候補を選択してもよい。選択部１１５が他社車両の候補を選択する具体的は方法については、図６〜図８を用いて後述する。
【００６４】
表示制御部１１２は、選択部１１５が選択した他社車両の候補に関する情報を表示するための表示情報を生成し、情報端末２へ送信する。情報端末２の受信部２１２は、運送計画支援装置１が送信した表示情報に基づいて、運送対象貨物それぞれの貨物情報Ｂ１の領域中に、選択部１１５が選択した他社車両の候補数を示すラベルＢ１１を表示させる。
【００６５】
自社のユーザは、いずれかの運送対象貨物について他社車両の候補の詳細を参照したい場合に、情報端末２の操作部２３を用いて、該運送対象貨物に関連付けられたラベルＢ１１を押下する操作を行う。ラベルＢ１１が押下された場合に、情報端末２の受信部２１２は、運送計画支援装置１が送信した表示情報に基づいて、貨物一覧画面Ｂにおいて貨物情報Ｂ１の近傍に、選択部１１５が選択した他社車両の候補の車両情報Ｂ１２と、他社車両の候補を指定するための仮想的なボタンＢ１３とを表示させる。車両情報Ｂ１２及びボタンＢ１３は、貨物一覧画面Ｂ及び配車板画面Ａとは異なる単独の画面として表示部２４に表示されてもよい。
【００６６】
車両情報Ｂ１２は、車両を管理する運送会社の名称、車両の車種、運送可能な貨物の種類、混載可否及び運賃を表している。車両情報Ｂ１２は、車両の車両登録番号、運転手の氏名等、その他の情報を表してもよい。
【００６７】
自社のユーザは、いずれかの他社車両の候補に運送対象貨物の運送を依頼する場合に、情報端末２の操作部２３を用いて、該他社車両の候補に関連付けられたボタンＢ１３を押下する操作を行う。ボタンＢ１３が押下された場合に、情報端末２の送信部２１１は、自社のユーザが運送を依頼する運送対象貨物の貨物ＩＤ及び自社のユーザが指定した他社車両を管理する他社の運送会社ＩＤを、依頼情報として運送計画支援装置１へ送信する。
【００６８】
運送計画支援装置１において、求貨求車部１１４は、情報端末２が送信した依頼情報に基づいて、貨物ＩＤに対応する運送対象貨物に関する貨物情報を、情報端末２が送信した運送会社ＩＤに関連付けることによって生成した引き受け情報を、求貨求車情報記憶部１２３に記憶させる。これにより、運送計画支援装置１は、自社がいずれかの他社車両の候補を指定したことに応じて、自動的に他社が自社の運送対象貨物の運送を引き受けることを示す引き受け情報を登録できる。
【００６９】
別の方法として、求貨求車部１１４は、情報端末２が送信した依頼情報に基づいて、他社車両の候補に運送対象貨物の運送を依頼する条件を設定する画面を、情報端末２に表示させてもよい。この場合に、自社のユーザは、情報端末２を用いて運賃等の条件を設定する。そして運送計画支援装置１は、設定された条件を、他社の情報端末２へ送信する。そして他社の情報端末２において、設定された条件を承諾する操作が行われた場合に、求貨求車部１１４は、情報端末２が送信した貨物ＩＤに対応する運送対象貨物に関する貨物情報を、情報端末２が送信した運送会社ＩＤに関連付けることによって生成した引き受け情報を、求貨求車情報記憶部１２３に記憶させる。これにより、運送計画支援装置１は、自社が設定した条件を他社が承諾したことを条件として、他社が自社の運送対象貨物の運送を引き受けることを示す引き受け情報を登録できる。
【００７０】
このように運送計画支援システムＳは、自社車両の一覧とともに、他社車両の運送計画に基づいて選択された、運送対象貨物を運送可能な他社車両に関する情報を表示する。これにより、自社のユーザは、自社車両及び他社車両に関する情報を容易に参照することができ、運送対象貨物の運送を自社車両に割り当てるか、又は他社車両へ依頼するかを判断しやすくなる。
【００７１】
次に、選択部１１５が他社車両の候補を選択する方法について説明する。図６は、他社によって指定された時間範囲に基づいて選択部１１５が他社車両の候補を選択する方法を説明するための模式図である。
【００７２】
他社のユーザは、情報端末２の操作部２３を用いて、求貨情報を登録したい他社車両に対応する運送計画Ａ２の中で、時間範囲Ａ３を指定する操作を行う。情報端末２の送信部２１１は、操作部２３の操作に応じて、情報端末２を管理する運送会社の運送会社ＩＤと、求貨情報を登録する他社車両の車両ＩＤと、指定された時間範囲Ａ３とを、検索条件として運送計画支援装置１へ送信する。
【００７３】
運送計画支援装置１において、情報取得部１１１は、情報端末２が送信した運送会社ＩＤ、車両ＩＤ及び指定された時間範囲を示す検索条件を受信して取得する。情報取得部１１１は、他社のユーザによって指定された時間範囲に代えて、他社車両の運送計画において運送予定がない時間範囲（空き時間）を自動的に取得してもよい。また、情報取得部１１１は、運送計画記憶部１２１において運送会社ＩＤに関連付けられた運送計画を取得する。また、情報取得部１１１は、運送会社情報記憶部１２２において運送会社ＩＤに関連付けられた、車両情報及び貨物情報を取得する。また、情報取得部１１１は、求貨求車情報記憶部１２３から、求車情報を取得する。
【００７４】
選択部１１５は、情報取得部１１１が取得した検索条件、貨物情報及び求車情報に基づいて、いずれの運送会社にも運送が引き受けられていない貨物の中から、指定された時間範囲に運送期限（荷積み時刻及び荷卸し時刻）が含まれている貨物を、他社車両が運送可能な選択貨物として選択する。表示制御部１１２は、選択部１１５が選択した選択貨物に関する情報を表示するための表示情報を生成し、情報端末２へ送信する。
【００７５】
情報端末２の受信部２１２は、運送計画支援装置１が送信した表示情報に基づいて、配車板画面Ａにおいて指定された時間範囲Ａ３の位置に、選択部１１５が選択した選択貨物の数を示す検索結果Ａ４を、情報端末２の表示部２４に表示させる。他社のユーザは、検索結果Ａ４の詳細を参照したい場合に、情報端末２の操作部２３を用いて、検索結果Ａ４を押下する操作を行う。
【００７６】
検索結果Ａ４が押下された場合に、情報端末２の受信部２１２は、運送計画支援装置１が送信した表示情報に基づいて、配車板画面Ａにおいて運送計画Ａ２の近傍に、検索条件Ａ５と、求貨を行うための仮想的なボタンＡ６とを表示させる。検索条件Ａ５は、例えば時間範囲Ａ３を示す文字列と、時間範囲Ａ３を指定した他社車両の車両情報とを含む。これに加えて、表示制御部１１２は、選択部１１５が選択した選択貨物の貨物情報を表示させてもよい。
【００７７】
他社のユーザは、時間範囲Ａ３を指定した他社車両について求貨情報を登録する場合に、情報端末２の操作部２３を用いて、ボタンＡ６を押下する操作を行う。ボタンＡ６が押下された場合に、情報端末２の送信部２１１は、情報端末２を管理する運送会社の運送会社ＩＤと、求貨情報を登録する他社車両の車両ＩＤと、指定された時間範囲Ａ３とを、運送計画支援装置１へ送信する。
【００７８】
運送計画支援装置１において、情報取得部１１１は、情報端末２が送信した運送会社ＩＤ、車両ＩＤ及び指定された時間範囲を受信して取得する。求貨求車部１１４は、情報端末２が送信した車両ＩＤに対応する他社車両に関する車両情報と、情報端末２が送信した他社のユーザによって指定された時間範囲（空き時間）とを、求貨情報として求貨求車情報記憶部１２３に記憶させる。これにより他社のユーザは、運送計画Ａ２の中で容易に時間範囲を指定して求貨情報を登録できる。
【００７９】
別の方法として、求貨求車部１１４は、他社車両の運送計画において運送予定がない時間範囲を空き時間として自動的に検出し、検出した空き時間を該他社車両の車両情報と関連付けることによって、求貨情報を求貨求車情報記憶部１２３に記憶させてもよい。これにより運送計画支援装置１は、他社のユーザによって時間範囲の指定を受けなくとも、他社車両の空き時間について自動的に求貨情報を登録できる。
【００８０】
図５において、選択部１１５は、自社のユーザの操作に基づいて他社車両の候補を選択する際に、図６のように他社車両の運送計画において指定された時間範囲又は運送予定がない時間範囲と、運送対象貨物の運送期限との関係に基づいて、他社車両の候補を選択する。具体的には、選択部１１５は、運送計画において指定された時間範囲又は運送予定がない時間範囲が、運送対象貨物の運送期限（荷積み時刻及び荷卸し時刻）を含んでいる他社車両を、他社車両の候補として選択する。
【００８１】
このように運送計画支援システムＳは、他社車両の運送計画に基づいて自社の運送対象貨物を運送可能な他社車両を選択し、選択した他社車両に関する情報を自社のユーザに提供する。そのため、自社のユーザは、運送対象貨物を運送させる車両を、自社車両及び他社車両の中から容易に選択し、運送計画を策定できる。
【００８２】
選択部１１５は、他社車両の運送計画が示す他社車両の空き重量に基づいて、他社車両の候補を選択してもよい。図７は、他社車両の空き重量に基づいて選択部１１５が他社車両の候補を選択する方法を説明するための模式図である。図７に例示した他社車両の運送計画Ａ２において、他社車両には既に貨物の運送が割り当てられている。他社のユーザは、運送計画Ａ２において、求貨情報を登録するための時間範囲Ａ３を指定している。時間範囲Ａ３は、運送計画支援装置１によって自動的に検出された、他社車両の運送計画において運送予定がない空き時間であってもよい。
【００８３】
運送計画Ａ２は、運送対象貨物を運送する他社車両の車両情報と、運送対象貨物の貨物情報とを関連付けて表す。そのため選択部１１５は、運送計画Ａ２において、車両情報が示す他社車両の最大積載量から、貨物情報が示す運送対象貨物の重量を減算することによって、時刻ごとの空き重量を算出できる。
【００８４】
図７の例において、６時から８時までの時間の空き重量αは、他社車両の最大積載量から第１の貨物の重量を減算した値である。８時から１２時までの時間の空き重量βは、他社車両の最大積載量から第１及び第２の貨物の重量を減算した値である。１２時から１７時までの時間の空き重量γは、他社車両の最大積載量から第２の貨物の重量を減算した値である。
【００８５】
運送計画Ａ２は、車両の最大積載量及び運送対象貨物の重量によって間接的に時刻ごとの空き重量を示しているが、予め算出された時刻ごとの空き重量を含んでもよい。
【００８６】
図５において、選択部１１５は、自社のユーザの操作に基づいて他社車両の候補を選択する際に、図７のように他社車両の運送計画が示す空き重量と、運送対象貨物の重量との関係に基づいて、他社車両の候補を選択する。具体的には、選択部１１５は、他社車両の運送計画が示す空き重量が、運送対象貨物の重量よりも大きい他社車両を、他社車両の候補として選択する。
【００８７】
このように運送計画支援システムＳは、他社車両の空き重量に基づいて自社の運送対象貨物を運送可能な他社車両を選択し、選択した他社車両に関する情報を自社のユーザに提供する。そのため、自社のユーザは、運送対象貨物を運送させる車両を、自社車両及び他社車両の中から容易に選択し、運送計画を策定できる。
【００８８】
選択部１１５は、他社車両の運送計画が示す他社車両の予定位置に基づいて、他社車両の候補を選択してもよい。図８は、他社車両の空き重量に基づいて選択部１１５が他社車両の候補を選択する方法を説明するための模式図である。図８に例示した他社車両の運送計画Ａ２において、他社車両には既に貨物の運送が割り当てられている。他社のユーザは、運送計画Ａ２において、求貨情報を登録するための時間範囲Ａ３を指定している。時間範囲Ａ３は、運送計画支援装置１によって自動的に検出された、他社車両の運送計画において運送予定がない空き時間であってもよい。
【００８９】
このとき、時間範囲Ａ３は、他社車両が運送する予定となっている他の貨物の運送期限よりも後に指定されている。選択部１１５は、運送計画Ａ２において、他社車両が運送する予定となっている他の貨物の貨物情報が示す運送先の位置に基づいて、時間範囲Ａ３の直前の他社車両の予定位置を特定できる。
【００９０】
図８の例において、他社車両が運送する予定となっている他の貨物の運送先の位置は「厚木」であるため、選択部１１５は、「厚木」を時間範囲Ａ３の直前の他社車両の予定位置をとして特定する。
【００９１】
図５において、選択部１１５は、自社のユーザの操作に基づいて他社車両の候補を選択する際に、図８のように時間範囲Ａ３の直前の他社車両の予定位置と、運送対象貨物の運送元の位置との関係に基づいて、他社車両の候補を選択する。具体的には、選択部１１５は、時間範囲Ａ３の直前の他社車両の予定位置と運送対象貨物の運送元の位置との間の距離が所定値以下である他社車両を、他社車両の候補として選択する。
【００９２】
このように運送計画支援システムＳは、時間範囲の直前の予定位置に基づいて自社の運送対象貨物を運送可能な他社車両を選択し、選択した他社車両に関する情報を自社のユーザに提供する。そのため、自社のユーザは、運送対象貨物を運送させる車両を、自社車両及び他社車両の中から容易に選択し、運送計画を策定できる。
【００９３】
［運送計画支援方法のフロー］
図９は、運送計画支援システムＳが行う運送計画支援方法のフローチャートを示す図である。自社のユーザは、情報端末２を用いて画面を表示するための操作を行う。画面を表示するための操作が行われると、情報端末２の送信部２１１は、情報端末２を管理する運送会社の運送会社ＩＤを、運送計画支援装置１へ送信する。
【００９４】
運送計画支援装置１において、情報取得部１１１は、情報端末２が送信した自社の運送会社ＩＤを受信して取得する（Ｓ１１）。また、情報取得部１１１は、運送計画記憶部１２１において自社の運送会社ＩＤに関連付けられた運送計画を取得する。また、情報取得部１１１は、運送計画記憶部１２１において自社以外の運送会社ＩＤに関連付けられた運送計画を取得する。
【００９５】
また、情報取得部１１１は、運送会社情報記憶部１２２において自社の運送会社ＩＤに関連付けられた、自社が管理する車両に関する車両情報と、自社貨物に関する貨物情報とを取得する。また、情報取得部１１１は、求貨求車情報記憶部１２３において自社の運送会社ＩＤに関連付けられた求貨求車情報を取得する。
【００９６】
表示制御部１１２は、情報取得部１１１が取得した車両情報、貨物情報及び求貨求車情報に基づいて、貨物一覧画面及び配車板画面を同時に情報端末２に表示させるための表示情報を生成し、情報端末２へ送信する（Ｓ１２）。情報端末２において、受信部２１２は、運送計画支援装置１が送信した表示情報を受信し、受信した表示情報に基づいて貨物一覧画面及び配車板画面を同時に表示部２４に表示させる。
【００９７】
選択部１１５は、運送計画記憶部１２１に記憶されている他社車両の運送計画に基づいて、貨物一覧画面Ｂに表示されている自社貨物及び引受済他社貨物それぞれ（すなわち、運送対象貨物）を運送可能な他社車両の候補を選択する（Ｓ１３）。
【００９８】
表示制御部１１２は、選択部１１５が選択した他社車両の候補に関する情報を表示するための表示情報を生成し、情報端末２へ送信する。情報端末２の受信部２１２は、運送計画支援装置１が送信した表示情報に基づいて、運送対象貨物それぞれの貨物情報の領域中に、選択部１１５が選択した他社車両の候補数を示すラベルを表示させる（Ｓ１４）。
【００９９】
自社のユーザは、いずれかの運送対象貨物について他社車両の候補の詳細を参照したい場合に、情報端末２の操作部２３を用いて、該運送対象貨物に関連付けられたラベルを押下する操作を行う。ラベルが押下された場合に、情報端末２の受信部２１２は、運送計画支援装置１が送信した表示情報に基づいて、貨物一覧画面において貨物情報の近傍に、選択部１１５が選択した他社車両の候補の車両情報を表示させる（Ｓ１５）。
【０１００】
自社のユーザは、いずれかの他社車両の候補に運送対象貨物の運送を依頼する場合に、情報端末２の操作部２３を用いて、該他社車両の候補に関連付けられたボタンを押下する操作を行う。ボタンが押下された場合に、情報端末２の送信部２１１は、自社のユーザが運送を依頼する運送対象貨物の貨物ＩＤ及び自社のユーザが指定した他社の運送会社ＩＤを、依頼情報として運送計画支援装置１へ送信する（Ｓ１６）。
【０１０１】
運送計画支援装置１において、求貨求車部１１４は、情報端末２が送信した依頼情報に基づいて、自動的に引き受け情報を登録し、あるいは自社が設定した条件を他社が承諾したことを条件として引き受け情報を登録する。
【０１０２】
［本実施形態の効果］
本実施形態に係る運送計画支援システムＳは、他社車両の運送計画に基づいて、運送対象貨物を運送可能な他社車両又は運送対象貨物の運送を引き受けた他社車両を選択し、選択した他社車両に関する情報を、運送会社が管理する自社車両の一覧とともに情報端末２に表示させる。これにより、運送会社のユーザは、自社車両が運送する運送対象貨物に関する情報と、他の運送会社へ運送を依頼する運送対象貨物に関する情報との両方を参照し、自社車両が運送する運送対象貨物に加えて他の運送会社へ運送を依頼する運送対象貨物を容易に管理できる。
【０１０３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【０１０４】
運送計画支援装置１及び情報端末２のプロセッサは、図９に示す運送計画支援方法に含まれる各ステップ（工程）の主体となる。すなわち、運送計画支援装置１及び情報端末２のプロセッサは、図９に示す運送計画支援方法を実行するためのプログラムを記憶部から読み出し、該プログラムを実行して運送計画支援装置１及び情報端末２の各部を制御することによって、図９に示す運送計画支援方法を実行する。図９に示す運送計画支援方法に含まれるステップは一部省略されてもよく、ステップ間の順番が変更されてもよく、複数のステップが並行して行われてもよい。
【符号の説明】
【０１０５】
Ｓ  運送計画支援システム
１  運送計画支援装置
１１  制御部
１１１  情報取得部
１１２  表示制御部
１１４  求貨求車部
１１５  選択部
１２  記憶部
１２１  運送計画記憶部
２  情報端末
２１  制御部
２１２  受信部
２４  表示部
【図１】
2020173532.tif 000003
【図２】
2020173532.tif 000004
【図３】
2020173532.tif 000005
【図４】
2020173532.tif 000006
【図５】
2020173532.tif 000007
【図６】
2020173532.tif 000008
【図７】
2020173532.tif 000009
【図８】
2020173532.tif 000010
【図９】
2020173532.tif 000011